(57)【要約】      （修正有）【課題】モバイル電子装置を連結できる装置コントローラを提供する。【解決手段】装置コントローラは、モバイル電子装置の第２の堅牢なインタフェースを連結して堅牢な付属品を介して直接電気的接続を形成するように構成された第１の堅牢なインタフェースを提供するケーシングを、有する。ケーシングは、回路基盤に接続し少なくとも太陽電池パネルおよび外部電源入力から充電式バッテリに充電電力を配電するように構成された充電コントローラを、さらに有する。【選択図】図１
2014093079.tif 000002
【特許請求の範囲】
【請求項１】
ケーシング内に収容され、モバイル電子装置を連結するように構成された第１のインタフェースを備えて構成された回路基板であって、前記第１のインタフェースおよび前記モバイル電子装置の第２のインタフェースの堅牢な付属品を介して前記インタフェースが直接電気的接続を形成する、回路基板と、
前記回路基板に接続した充電コントローラであって、少なくとも前記回路基板の電源、前記モバイル電子装置の電源、および外部電源の間の配電を管理するように構成された充電コントローラと
を含む機器。
【請求項２】
前記モバイル電子装置に取り付けられ、前記モバイル電子装置と通信し、前記充電コントローラと通信する太陽電池パネルをさらに含み、前記充電コントローラが配電の一部として前記太陽電池パネルをさらに管理し、前記ケーシングが中央部の両側から延在する左と右のセグメントを備えて形作られた、請求項１に記載の機器。
【請求項３】
ケーシングに取り付けられ、前記モバイル電子装置、前記回路基板、および前記充電コントローラと通信する太陽電池パネルをさらに含み、前記充電コントローラが配電の一部として前記太陽電池パネルをさらに管理し、前記ケーシングが、ユーザの手を人間工学的にかみ合わせるように構成された少なくとも１つの突起物を含む、請求項１に記載の機器。
【請求項４】
前記ケーシングが複数のボタン、ジョイスティック、スピーカ、トリガ、および太陽電池パネルを提供する、請求項２に記載の機器。
【請求項５】
前記複数のスピーカがステレオ音声の再生を提供するように構成された別々のスピーカを含み、前記回路基板の各前記電源、前記モバイル電子装置の電源がバッテリである、請求項４に記載の機器。
【請求項６】
第１のトリガおよびジョイスティックがそれぞれ前記ケーシングの前記左セグメントに配置され、第２のトリガおよびジョイスティックがそれぞれ前記ケーシングの前記右セグメントに配置された、請求項２に記載の機器。
【請求項７】
前記モバイル電子装置がタブレットコンピュータである、請求項１に記載の機器。
【請求項８】
前記ケーシングが、ユーザからの接触なしに前記モバイル電子装置の直立姿勢を保つように構成された伸縮可能なスタンドを収容する、請求項１に記載の機器。
【請求項９】
モバイル電子装置の第２の堅牢なインタフェースを連結して堅牢な付属品を介して直接電気的接続を形成するように構成された第１の堅牢なインタフェースを提供するケーシングと、
前記ケーシングに収容された回路基板に接続した充電コントローラであって、少なくとも太陽電池パネルおよび外部電源入力から充電式バッテリに充電電力を配電するように構成された充電コントローラと
を含むモバイル装置コントローラ。
【請求項１０】
前記ケーシングがユーザの目の間の所定の距離の２倍より大きい広さを有する、請求項９に記載のモバイル装置コントローラ。
【請求項１１】
前記モバイル電子装置が前記ケーシングの上部と下部によって画定された連続溝内に部分的に収容された、請求項９に記載のモバイル装置コントローラ。
【請求項１２】
前記ケーシングおよびモバイル電子装置が堅牢な付属品の間で一定の距離を置いて見られるように構成された、請求項１１に記載のモバイル装置コントローラ。
【請求項１３】
前記ケーシングおよびモバイル電子装置を制御するためにユーザの２つの手が必要とされる、請求項１１に記載のモバイル装置コントローラ。
【請求項１４】
前記ケーシングが、前記モバイル電子装置のための立体的な被写界深度を保証する広さを有する、請求項１１に記載のモバイル装置コントローラ。
【請求項１５】
前記回路基板が、予測フィルタでユーザの体の所定の部分の動きを検知するように構成された少なくとも１つの加速度計を有する、請求項１１に記載のモバイル装置コントローラ。
【請求項１６】
前記堅牢な付属品および無線接続が前記回路基板を前記モバイル電子装置に同時に接続できる、請求項１１に記載のモバイル装置コントローラ。
【請求項１７】
少なくとも１つのセキュリティキーが、前記モバイル電子装置をアンロックし、安全なデータアクセスを可能にするために提供された、請求項１６に記載のモバイル装置コントローラ。
【請求項１８】
モバイル電子装置の第２の堅牢なインタフェースを連結して堅牢な付属品を介して直接電気的接続を形成するように構成された第１の堅牢なインタフェースを提供するケーシングと、
前記ケーシングに収容された回路基板に接続した充電コントローラであって、少なくとも太陽電池パネルおよび外部電源入力から充電式バッテリに充電電力を配電するように構成された充電コントローラと、
前記回路基板と相互接続し、前記ケーシングの動きに応じて前記回路基板およびモバイル電子装置を起動および停止するように構成された、ウェイクアップ回路と
を含む装置。
【請求項１９】
前記ウェイクアップ回路が低電力発振器を含む、請求項１８に記載の装置。
【請求項２０】
前記ウェイクアップ回路が、前記ケーシングに収容された少なくとも１つの加速度計を介して前記ケーシングの動きを検知するように構成された、請求項１８に記載の装置。
【発明の詳細な説明】
【技術分野】
【０００１】
関連出願
本出願は、２０１２年１月３１日に出願した米国特許出願第１３／３６３，０２１号の一部継続出願であり、米国特許出願第１３／３６３，０２１号は、２０１１年１２月２０日に出願した米国仮特許出願第６１／５７７，７０９号の優先権を主張するものである。
【発明の概要】
【課題を解決するための手段】
【０００２】
本開示のさまざまな実施形態は、一般に、モバイル装置を連結できる装置コントローラに関する。
さまざまな実施形態によれば、機器は、モバイル電子装置の第２の堅牢なインタフェースを連結して堅牢な付属品を介して直接電気的接続を形成するように構成された第１の堅牢なインタフェースを提供するケーシングを、有することができる。ケーシングは、回路基盤に接続し少なくとも太陽電池パネルおよび外部電源入力から充電式バッテリに充電電力を配電するように構成された充電コントローラを、さらに有することができる。
【図面の簡単な説明】
【０００３】
【図１】さまざまな実施形態によるモバイル装置コントローラの例の斜視図である。
【図２】いくつかの実施形態によるモバイル装置コントローラの例の上面図である。
【図３】さまざまな実施形態によって構築され操作されるモバイル装置コントローラの例の下面図である。
【図４】いくつかの実施形態によるモバイル装置コントローラの例の正面図である。
【図５】さまざまな実施形態によって構築され操作されるモバイル装置コントローラの例の斜視図である。
【図６】いくつかの実施形態によって操作されるモバイル装置コントローラの例の斜視図である。
【図７】さまざまな実施形態によるモバイル装置コントローラシステムの例のブロック図である。
【発明を実施するための形態】
【０００４】
図面のすべての説明は特許請求された技術の選択されたバージョンを記載するためのものであり、本開示の範囲を多少なりとも限定するものではない。
さまざまな実施形態によれば、モバイル装置コントローラは、上部ケーシング１、下部ケーシング２、回路基板３、および、１つまたは複数の充電式バッテリ４を含む。回路基板３および各充電式バッテリ４は、下部ケーシング２の内部または外部に配置することができる。上部ケーシング１は下部ケーシング２の外縁に接続し、揃えることができる。
【０００５】
モバイル装置コントローラの動作は、１次電源として充電式バッテリ４で、２次電源として強固に接続されたモバイル装置などの外部電源で、処理することができる。各充電式バッテリ４は、１つまたは複数の回路基板３に電気的に接続して、回路基板３の動作の一部または全部に電力を供給することができる。いくつかの実施形態は、上部１および／または下部２のケーシングの電源出力部と電源入力部の間に接続された外部電源コードで各充電式バッテリ４を充電する。
【０００６】
上部ケーシング１は外殻として設計することができ、携帯電話、ゲームコンソール、およびタブレットコンピュータなどのモバイル装置の直交する側面に同時に接触できる細長い「Ｕ」形のデザインをもつ。上部ケーシング１は、それぞれ所定の角度の関係に形作られた左垂直断面、右垂直断面、および水平断面をもつ。すなわち、いくつかの実施形態では、左と右の垂直断面はそれぞれ水平断面と直角の関係をもち、他の実施形態は、左または右の垂直断面を水平断面とさまざまな角度の関係に形作る。
【０００７】
上部ケーシング１は高力プラスチックから作成することができ、その結果上部ケーシング１の重量を最小化することができる。上部ケーシング１の色は白または黒のどちらであってもよいが、白または黒に限定されない。上部ケーシング１は、１つまたは複数のメニューボタン１１、１つまたは複数の制御ボタン１２、少なくとも１つの方向パッド１３、少なくとも２つのジョイスティック１４、少なくとも２つのスピーカ１５、および複数の太陽電池パネル１６を含むことができる。また、上部１および下部２のケーシングによって画定された連続溝でモバイル装置の外縁を部分的に囲うことにより、上部１および下部２のケーシングはモバイル装置に付着するように構成することができる。
【０００８】
さまざまな実施形態は選択ボタン１１１および開始ボタン１１２をもつメニューボタン１１を構成し、選択ボタン１１１は上部ケーシング１の左垂直断面上に配置され、開始ボタン１１２は上部ケーシング１の右垂直断面上に配置される。メニューボタン１１は、第１のジョイスティック１４１または第２のジョイスティック１４２のどちらに対しても所定の方向に構成することができる。選択ボタン１１１と開始ボタン１１２のどちらも円形のデザインをもつように示されるが、所望によりさまざまな他の形状を利用することができるので、そのような形状は必要または限定的でない。
【０００９】
選択ボタン１１１は表示された単語「ＳＥＬＥＣＴ」を備えて構築することができ、同様に開始ボタン１１２は表示された単語「ＳＴＡＲＴ」をもつ。複数のメニューボタン１１は少なくとも１つの回路基板３に電気的に接続して、さまざまな機能の起動、停止、関連付け、および選択を可能にすることができる。例えば、ソフトウェアアプリケーションおよびアプリケーション内のある特定の機能は選択ボタン１１１から選択し起動することができ、開始ボタン１１２は任意の種類のアプリケーションを起動および停止するために指定することができる。例として、ソフトウェアゲームアプリケーションは、開始ボタン１１２を物理的に押下することによって開始および終了することができる。複数のメニューボタン１１は、高力プラスチックおよび金属などの、複数のメニューボタン１１の絶え間ない動きに耐えることができる任意の素材から作成することができる。
【００１０】
いくつかの実施形態によれば、さまざまな制御ボタン１２は開始ボタン１１２の下に配置され、上部ケーシング１の右垂直断面に物理的に接続される。図２の実施形態で示された複数の制御ボタン１２は、左ボタン１２１、下ボタン１２２、右ボタン１２３、および上ボタン１２４を含む。複数の制御ボタン１２は、お互いから９０度離れて配置され、ユーザが効率的な器用さで扱うことが可能になる円形のデザインをもつ。さまざまなボタン１２１、１２２、１２３、および１２４は任意の動作に割り当てることができ、さまざまな異なる色および触感を備えて構築することができる。例は、青色の左ボタン１２１の上に文字「Ｘ」を表示し、下ボタン１２２は緑色の下ボタン１２２の上に文字「Ａ」を表示し、赤色の右ボタン１２３は文字「Ｂ」を表示し、黄色の上ボタン１２４は文字「Ｙ」を表示する。
【００１１】
複数の制御ボタン１２は、それぞれ単純に方向を示す目的および芸術的に美しい外観のために上記の記号文字および色で設計され、さまざまな限定的でない方式で設計および構築することができる。さまざまな実施形態では、複数の制御ボタン１２は、複雑さを減らし容易に操作できるように文字「Ａ」または「Ｙ」として識別することができる。複数の制御ボタン１２は、所与のアプリケーション内でいくつかの異なる機能を制御する１つまたは複数の回路基板３に電気的に接続することができる。例えば、格闘ゲームアプリケーションは、所定のボタン１２１、１２２、１２３、および１２４にそれぞれ割り当てられたアッパーキック、ロワーキック、アッパーパンチ、およびロワーパンチのような多くの異なる機能をもつ。複数の制御ボタン１２は高力プラスチックまたは金属のような任意のタイプの素材から作成することができ、それらは複数の制御ボタン１２の絶え間なく突発的な動きに耐えることができる。
【００１２】
方向パッド１３は選択ボタン１１１の下に配置され、開始ボタン１１２および右垂直断面と向かい合う上部ケーシング１の左垂直断面に物理的に結合して示される。方向パッド１３は、右１３１、上１３２、左１３３、および下１３４の矢印ボタンに対応する矢印および点などのさまざまな操作上の機能、技術、および触感を備えて構成することができる。１つまたは複数のボタンは、矢印、長方形、および三角形、またはその組合せとして形作ることができる。方向パッド１３の機能は、上下または左右に動かすことにより、オブジェクトを関連付けることであり得る。例えば、入力コマンドのリストがある場合、下矢印ボタン１３４は、リスト内で下向きに動くために使用することができる。また、方向パッド１３は、単独で、または選択ボタン１１１とともにボリュームコントローラとして動作して、スピーカのボリュームを大きくするかまたは小さくすることができる。方向パッド１３は高力プラスチックまたは金属のような１つまたは複数の素材から作成することができ、それらは各ボタンの絶え間なく突発的な動きに耐えることができる。
【００１３】
各ジョイスティック１４１と１４２は上部ケーシング１上に物理的に配置され、第１のジョイスティック１４１と第２のジョイスティック１４２を別々に、または同時に回転およびベクトル方式で操作することが可能になる円筒形のデザインをもつ。ジョイスティック１４１と１４２は回路基板３に電気的に接続され、方向パッド１３によって複製することができない連続３６０°円形動作などの独特のゲーム機能を、ゲームアプリケーションに提供するために使用することができる。さらに、円筒形の構成部品の押下が所定のソフトウェアコマンドの起動に対応できるので、１つまたは複数のジョイスティック１４１と１４２は別の選択機能を提供することができる。限定されないが、ジョイスティック１４１と１４２は、絶え間ない動きに対しても耐えられる動作を提供する高力プラスチックまたは金属から作成することができる。
【００１４】
さまざまな実施形態では、モバイル装置コントローラは、それぞれ上部ケーシング１のさまざまな部分に配置された、音声を再生および増幅できる少なくとも２つの別々のスピーカ１５を備えて構築することができる。スピーカ１５から再生される音声は、回路基板３から、またはタブレットコンピュータもしくはゲーミングコンソールなどの接続されたモバイル装置から発生することができる。上部ケーシング１上の別々の場所に複数のスピーカを配置すると、ステレオ、モノラル、およびサラウンドな音声を再生することが可能になり、モバイル装置の使用法を向上させることができる。
【００１５】
図２に示された実施形態では、複数の別々の太陽電池パネル１６は、それぞれ少なくとも２つのスピーカ１５の間に配置され、上部ケーシング１の水平断面に物理的に接続される。しかしながら、１つまたは複数の太陽電池パネル１６は、下部ケーシング２の上、および、左または右の垂直断面上に配置することができる。各太陽電池パネル１６は、１つまたは複数の充電式バッテリ４に、直接または充電コントローラを介して電気的に接続することができる。太陽電池パネル１６の間の充電コントローラ、壁コンセントまたは接続されたモバイル装置などの外部電源入力、およびバッテリ４と接続して、充電電力は所定の電力方式に従ってバッテリ４に常に通電することができる。
【００１６】
例えば、充電コントローラは１つまたは複数の太陽電池パネル１６から来る充電電力の存在を識別し、太陽電池パネルからバッテリ充電を誘導している間バッテリ４の外部電源充電を中断することができる。逆に、充電コントローラは、バッテリ４が非常に低いかまたは太陽電池パネル１６が均一な電源を供給していない場合などには、外部電源および太陽電池パネル１６から同時に充電電力を調整することがでる。
【００１７】
さらに、充電コントローラは、バッテリ４および外部電源から供給された電力を合成して、モバイル装置コントローラに所定の量の電力を供給するように構成することができる。そのため、外部状況にかかわらず電力レベルが低下すると、充電コントローラは、太陽電池パネル１６および外部電源の機能を２次電源または１次電源として要求して、充電式バッテリ４に絶えず充電することができる。
【００１８】
図３を参照すると、上部ケーシング１と同様に細長い「Ｕ」形をもつ外殻になるようにさまざまな実施形態によって設計された下部ケーシング２が示される。下部ケーシング２は、左垂直セグメント、右垂直セグメント、および水平セグメントを有する。左垂直セグメントと右垂直セグメントは、ユーザの手のひらにしっかりとフィットする独特のデザインをもつ。そのような独特のデザインはユーザとケーシング１および２との間をしっかりと結び付け、さまざまなジョイスティック、ボタン、およびパッドを効率的かつ快適に扱い、かみ合わせることが可能になる。下部ケーシング２の独特のデザインは、ユーザの手のひらにフィットして、モバイル装置コントローラのさまざまな制御機構とかみ合わせるのに効率的な場所にユーザの指を位置付けるように形作られた丸みを帯びた突起物として特徴付けられることに留意すべきである。
【００１９】
下部ケーシング２は、上部ケーシング１の素材と同様かまたは異なっていてもよい任意の種類の素材から作成することができるが、いくつかの実施形態では、下部ケーシング２の重量を最小化する高力プラスチックである。上部ケーシング１および下部ケーシング２の所定の部分に素材を追加することで、ユーザの快適さおよび器用さを向上することができる。例えば、ゴムの挿入物およびケーシング素材に形成された溝などの摩擦を増やした領域は、激しいゲームプレー中に器用さを増すためにさまざまな制御機構の近くに配置することができる。
【００２０】
下部ケーシング２は、スタンドまたはスタンドをつなげる手段を備えて構成され、コントローラおよび取り付けられたモバイル装置がユーザと接触せずに直立することを可能にすることができる。そのようなスタンドは、いかなる障害物もモバイル装置のディスプレイを覆い隠さないようにするために、下部ケーシング２の背面につなぎ、下部ケーシング２に平行に配置することができる。さまざまな実施形態は、下部ケーシング２内に収容され、取り付けられたモバイル装置のディスプレイにさまざまな角度の場所を与えるために伸ばすことができるように、スタンドを構成する。
【００２１】
図３および図４は、それぞれ、下部ケーシング２が１つまたは複数のトリガボタン２１、複数のねじ穴２３、ヘッドフォンジャック２４、および汎用シリアルバスポート（ＵＳＢポート）２５をどのように提供できるかを示す。複数のトリガボタン２１は、上部ケーシング１の右と左の垂直部分に一直線になるように配置され、上左ボタン２１１、下左ボタン２１２、上右ボタン２１３、および下右ボタン２１４を含むことができる。上左２１１と上右ボタン２１３はどちらも平らな上面をもつが、ユーザの指をあらかじめ決められたようにかみ合わせるために、凸形などの任意の方式で形作ることができる。トリガボタン２１１、２１２、２１３、および２１４のそれぞれは、高力プラスチックなどの同様のまたは異なる素材から作成することができ、回路基板３に電気的に接続して、起動時に割り当てられたコマンドを実行することができる。
【００２２】
複数のねじ穴２３は、下部ケーシングの所定の場所に配置され、上部ケーシング１と下部ケーシング２の間の安定した物理的な接続を可能にする。鋲およびねじなどの１つまたは複数の締め具は、ねじ穴２３をふさいで、寿命を長続きさせるためにケーシング１とケーシング２を固着させる。ヘッドフォンジャック２４および汎用シリアルバスポート（ＵＳＢポート）２５は、下部ケーシング２のまわりの側面に配置され、外部ヘッドフォンプラグがヘッドフォンジャック２４に挿入されるか、または適切なサイズのシリアルコネクタがＵＳＢポート２５に挿入されると、外部装置を回路基板３に接続することができる。
【００２３】
ＵＳＢポート２５は、外部ＵＳＢ電源コードを介して電力を、かつ外部データ記憶装置を介してデータ記憶を提供するために使用することができる。ＵＳＢポート２５は、取り付けられたモバイル装置との間の双方向通信を提供するように構成することができる。そのような音声通信は、開始ボタン１１２および選択ボタン１１１などの、モバイル装置およびモバイル装置コントローラのさまざまな機能の音声制御を提供するように適合することができる。
【００２４】
さらに、モバイル装置コントローラは、モバイル装置がモバイル装置コントローラに物理的に接続していてもいなくても、モバイル装置にダウンロードできる制御アプリケーションを含むことができる。すなわち、モバイル装置コントローラは、回路基板３に接続された内部データ記憶構成部品に格納されたソフトウェア、ファームウェア、およびアプリケーションを有することができ、それらは、図６に示されたシリアル接続などのインタフェースとの物理接続を介して、またはブルートゥース接続などの無線接続を介してモバイル装置に転送することができる。したがって、別々にまたは同時に堅牢な電気コネクタおよび無線接続を介して、モバイル装置がモバイル装置コントローラに物理的に取り付けることができるので、ユーザはモバイル装置との少なくとも２つの接続オプションを有する。
【００２５】
さまざまな接続は、モバイル装置コントローラにセキュリティ機能を提供するために利用することができる。例えば、検証されたセキュリティキー付きの安全なブルートゥース接続または有線のシリアル接続は、取り付けられたモバイル装置への有線または無線のアクセスが許可される前に、義務付けることができる。すなわち、データまたは制御がコントローラからモバイル装置に伝わることができる前に、セキュリティは有線または無線どちらの手段を介しても必要になり得る。そのようなセキュリティ機能は、モバイル装置コントローラからモバイル装置への、課金データ、個人データ、およびパスワードなどの安全な情報の確信的な通路を可能にすることができる。同様に、そのようなセキュリティ機能は、意図的でないユーザによって使用されることから、モバイル装置コントローラを効果的にロックすることができる。
【００２６】
モバイル装置コントローラのさまざまな実施形態は、上部ケーシング１の左セグメントと右セグメントの間の距離をタブレットコンピュータなどのモバイルコンピュータ装置の水平または垂直の方向の大きさに一致させるように構成する。図６でタブレットコンピュータの水平方向によって示されたように、モバイル装置コントローラは一定の距離を置いて見られるように設計することができ、その結果、モバイル装置のディスプレイはユーザの目の間の所定の距離より広くなる。そのような広さにより、モバイル装置コントローラのさまざまな制御機構を掴み操作するには、ユーザの２本の手が必要になる可能性がある。モバイル装置の水平位置で、モバイル装置のディスプレイの３次元動作は、ユーザが３次元グラスを掛けようと掛けまいと、正確な立体的被写界深度を伴って行うことができる。
【００２７】
図７は、いくつかの実施形態によるモバイル装置コントローラの例の一部分のブロック図を提供する。いかなる特定の能力、構成部品、またはサイズにも限定されないが、回路基板３は、モバイル装置コントローラからの入出力データのすべてを接続する。回路基板３は、少なくとも１つの電解コンデンサ３１、コンデンサ３２、スイッチ３３、抵抗器３４、可変抵抗器３５、結晶共振器３６、チップ３７、ＩＲ信号コントローラ３８、充電コントローラ３９、加速度計４０、および発振器４１を含むことができる。
【００２８】
いくつかの実施形態によれば、１つまたは複数の加速度計４０は、動き、方向、および加速度を正確に検知するためにモバイル装置コントローラの別々の領域に配置されて、取り付けられたモバイル装置上のデジタルオブジェクトを制御するために使用することができる。複数の加速度計４０は、ユーザの体の動きに基づいてデジタルオブジェクトのリアルな動きを可能にするために、ユーザの頭などのユーザの体の一部に対応するように較正することができる。さらに、そのような較正は、ヘッドバンド、グローブ、またはブーツなどのユーザの体に取り付けられた外部ハードウェアの有無にかかわらず、それぞれＸ面、Ｙ面、およびＺ面でユーザの動きを画定する予測フィルタを利用することができる。
【００２９】
１つまたは複数の電解コンデンサ３１は、コンデンサ３２、抵抗器３４、および充電コントローラ３９のようなさまざまな他の構成部品に電子的に接続することができ、結晶共振器３６は複数のコンデンサ３２に電子的に接続することができる。同様に、結晶共振器３６、抵抗器３４、および可変抵抗器３５は、お互いに相互接続することができ、かつ１つまたは複数のＩＣチップ３７およびスイッチ３３と相互接続することができる。ＩＲ信号コントローラ３８は、少なくとも１つの赤外線アイおよび無線周波レシーバに接続しながら回路基板３に電子的に接続することができ、無線周波レシーバは遠方から伝送可能なＩＲ信号を提供して、モバイル装置コントローラの無線制御、およびその結果取り付けられたモバイル装置の無線制御を提供する。
【００３０】
さまざまな電気構成部品は、有線または無線のどちらかでモバイル装置に接続すると、回路が電源断ステージから起動ステージへ、またはその反対に遷移することを可能にする停電力発振器４１を含むか含まない場合があるウェイクアップ回路４２を、回路基板３に提供することができる。そのため、ウェイクアップ回路４２は、モバイル装置に接続していないことを検知することにより、バッテリ４の中の電力を節約することができる。いくつかの実施形態では、ウェイクアップ回路は充電コントローラおよび／または加速度計４０の一部として実装され、その結果モバイル装置コントローラのバッテリ電力および起動は、取り付けられたモバイル装置の接続および動作とシームレスになる。
【００３１】
モバイル装置コントローラのさまざまな構造的かつ操作可能な構成により、精巧な制御、接続、および電力管理は人間工学的に設計された装置に結合することができる。さまざまなボタン、ジョイスティック、トリガ、および方向パッドの構成により、ゲームをプレーすることからテレビを見ることまで、取り付けられたモバイル装置によって提供された実質的に任意のアクティビティに、ユーザが快適に関与することが可能になる。さらに、充電コントローラ、太陽電池パネル、および充電式バッテリによってもたらされた非常に多くの電力機能により、不便なコンセント接続およびバッテリ交換なしでモバイル装置コントローラの多様な使用法が可能になる。
【００３２】
さまざまな実施形態の構造および機能とともに、本開示のさまざまな実施形態の非常に多くの特性および利点が前述の説明で明記されたとしても、この詳細説明は例示的であるにすぎず、詳細において、特に添付の特許請求の範囲がその中で表現された用語の広く一般的な意味によって十分に示された本開示の原理内の構造および部品構成に関して、変更できることが理解されよう。例えば、本技術の精神および範囲から逸脱することなく、特定の構成要素は特定のアプリケーションに応じて変わることができる。
【符号の説明】
【００３３】
１  上部ケーシング
２  下部ケーシング
３  回路基板
４  充電式バッテリ
１１  メニューボタン
１２  制御ボタン
１３  方向パッド
１４  ジョイスティック
１５  スピーカ
１６  太陽電池パネル
２１  トリガボタン
２３  ねじ穴
２４  ヘッドフォンジャック
２５  汎用シリアルバスポート（ＵＳＢポート）
３１  電解コンデンサ
３２  コンデンサ
３３  スイッチ
３４  抵抗器
３５  可変抵抗器
３６  結晶共振器
３７  ＩＣチップ
３８  ＩＲ信号コントローラ
３９  充電コントローラ
４０  加速度計
４１  発振器
４２  ウェイクアップ回路
１１１  選択ボタン
１１２  開始ボタン
１２１  左ボタン
１２２  下ボタン
１２３  右ボタン
１２４  上ボタン
１３１  右矢印ボタン
１３２  上矢印ボタン
１３３  左矢印ボタン
１３４  下矢印ボタン
１４１  第１のジョイスティック
１４２  第２のジョイスティック
２１１  上左トリガボタン
２１２  下左トリガボタン
２１３  上右トリガボタン
２１４  下右トリガボタン
【図１】
2014093079.tif 000003
【図２】
2014093079.tif 000004
【図３】
2014093079.tif 000005
【図４】
2014093079.tif 000006
【図５】
2014093079.tif 000007
【図６】
2014093079.tif 000008
【図７】
2014093079.tif 000009
【外国語明細書】
2014093079000001.pdf